(57)【要約】【課題】部数指定により印刷出力する際、保存用に１部をファイリングする利便性を図り、かつ記録紙、トナー等の消耗品の消費を抑える。【解決手段】受信画像の印刷出力時に印刷出力可能か確認（Ｓ１）。出力可能なとき（Ｓ１のＹｅｓ）、部数指定の印刷出力が保存用か確認（Ｓ２）。保存用のとき（Ｓ２のＹｅｓ）、受信画像データ幅と設定データ幅の確認（Ｓ３）。設定データ幅でないとき（Ｓ３のＮｏ）、受信画像を設定データ幅に縮小印刷する（Ｓ４）。受信画像次頁の有無を確認（Ｓ５）。次頁があるとき（Ｓ５のＹｅｓ）、処理Ｓ２へ移り残り頁の印刷処理、次頁がないとき（Ｓ５のＮｏ）、指定の印刷出力が部数分終了を確認（Ｓ６）、処理終了でないとき（Ｓ６のＮｏ）、処理Ｓ２へ移る。また、処理Ｓ２で保存用でないとき（Ｓ２のＮｏ）、及び処理Ｓ３にて設定データ幅のとき（Ｓ３のＹｅｓ）、受信画像を通常処理で印刷出力する（Ｓ７）。【選択図】    図２
2005033507.tif 000002
【特許請求の範囲】
【請求項１】
１頁の受信画像を複数頁に印刷出力する機能を有するファクシミリ装置であって、蓄積手段に蓄積した前記受信画像を予め指定した部数を印刷出力する画像形成手段と、前記受信画像を縮小して前記画像形成手段より印刷出力させる縮小手段と、前記指定した部数の１部については、記録紙の予め指定した幅サイズに一致した印刷出力をさせる手段とを備え、前記受信画像を印刷出力する部数のうち１部を前記指定した幅サイズの記録紙に印刷出力することを特徴とするファクシミリ装置。
【請求項２】
１頁の受信画像を複数頁に印刷出力する機能を有するファクシミリ装置であって、蓄積手段に蓄積した前記受信画像を予め指定した部数を印刷出力する画像形成手段と、前記受信画像を縮小して複数頁を１頁に集約して前記画像形成手段より印刷出力させる縮小手段と、前記指定した部数の１部については、前記縮小手段により集約して印刷出力をさせる手段とを備え、前記受信画像を印刷出力する部数のうち１部を前記１頁に集約して記録紙に印刷出力することを特徴とするファクシミリ装置。
【請求項３】
１頁の受信画像を複数頁に印刷出力する機能を有するファクシミリ装置であって、蓄積手段に蓄積した前記受信画像を予め指定した部数を印刷出力する画像形成手段と、前記指定した部数の１部については、前記画像形成手段の画像形成に用いる着色部材を制限して印刷出力をさせる手段とを備え、前記受信画像の印刷出力のうち１部を画像形成に用いる着色部材を制限して印刷出力することを特徴とするファクシミリ装置。
【請求項４】
前記画像形成手段の画像形成に用いる着色部材が、電子写真方式のトナー、またはインクジェット方式のインクであることを特徴とする請求項３記載のファクシミリ装置。
【発明の詳細な説明】
【０００１】
【発明の属する技術分野】
本発明は、１頁の受信画像を複数頁の部数に印刷出力する機能を有したファクシミリ装置に関するものである。
【０００２】
【従来の技術】
従来より、複数部数の印刷出力を行う機能を有するファクシミリ装置が知られている。また、デジタル複写機のような画像形成装置では、複数部数の印刷出力を行うことは公知であるが、デジタル複写機にファクシミリ機能を統合したデジタル複合機において複数部数の印刷出力を行う機能が知られている。
【０００３】
また、特許文献１には、マルチ部数出力を種々の条件に応じてきめ細かく設定でき、さらに、受信側からも送信側からもマルチ部数出力を適切に制御できるようにするファクシミリ装置が記載されている。
【０００４】
複数部数の印刷出力を行う機能を有するファクシミリ装置では、１部の受信画像を、同一内容の多数部の印刷出力として得ることができる。その機能を利用して、複数枚の印刷出力のうち１部を保存用としてファイリングすることが行われている。
【０００５】
部数指定により印刷出力する機能の用途としては、受信内容を複数の部署に知らせる必要がある場合に、受信画像を印刷出力した記録紙を配布するため必要な部数分を複写する手間を省くことや、受信画像を印刷出力した記録紙の１部を保存用に確保することで、受信内容の消失を未然に防止することにある。
【０００６】
【特許文献１】
特開２０００−２９５３８８号公報
【０００７】
【発明が解決しようとする課題】
しかしながら、このような構成のファクシミリ装置においては、判読可能であれば十分な保存用としてファイリングする１部の印刷出力であっても、通常の複数の部数を印刷出力する処理を行い、また要求する記録紙サイズにあわせて印刷出力を行うことからファイリングの際に記録紙サイズがバラバラとなっており、さらに、印刷出力に用いる記録紙やトナー、インクといった消耗品を無駄に消費しているという問題があった。
【０００８】
本発明は、前記従来技術の問題を解決することに指向するものであり、部数指定により印刷出力する際、保存用に１部をファイリングする利便性を図り、かつ記録紙、トナー等の消耗品の消費を抑えたファクシミリ装置を提供することを目的とする。
【０００９】
【課題を解決するための手段】
この目的を達成するために、本発明に係る請求項１に記載されるファクシミリ装置は、１頁の受信画像を複数頁に印刷出力する機能を有するファクシミリ装置であって、蓄積手段に蓄積した受信画像を予め指定した部数を印刷出力する画像形成手段と、受信画像を縮小して画像形成手段より印刷出力させる縮小手段と、指定した部数の１部については、記録紙の予め指定した幅サイズに一致した印刷出力をさせる手段とを備え、受信画像を印刷出力する部数のうち１部を指定した幅サイズの記録紙に印刷出力する構成によって、指定した部数の１部を保存用に印刷出力してファイリングする記録紙の幅サイズを一致させることができる。
【００１０】
また、請求項２に記載されるファクシミリ装置は、１頁の受信画像を複数頁に印刷出力する機能を有するファクシミリ装置であって、蓄積手段に蓄積した受信画像を予め指定した部数を印刷出力する画像形成手段と、受信画像を縮小して複数頁を１頁に集約して画像形成手段より印刷出力させる縮小手段と、指定した部数の１部については、縮小手段により集約して印刷出力をさせる手段とを備え、受信画像を印刷出力する部数のうち１部を１頁に集約して記録紙に印刷出力する構成によって、指定した部数の１部を保存用に印刷出力してファイリングする記録紙の幅サイズを一致させ、かつ集約印刷して記録紙を節約することができる。
【００１１】
また、請求項３，４に記載されるファクシミリ装置は、１頁の受信画像を複数頁に印刷出力する機能を有するファクシミリ装置であって、蓄積手段に蓄積した受信画像を予め指定した部数を印刷出力する画像形成手段と、指定した部数の１部については、画像形成手段の画像形成に用いる着色部材を制限して印刷出力をさせる手段とを備え、受信画像の印刷出力のうち１部を画像形成に用いる着色部材を制限して印刷出力すること、さらに、画像形成手段の画像形成に用いる着色部材が、電子写真方式のトナー、またはインクジェット方式のインクである構成によって、指定した部数の１部を保存用に印刷出力してファイリングする記録紙の印刷処理に使用するトナー、インク等の着色部材を節約することができる。
【００１２】
【発明の実施の形態】
以下、図面を参照しながら本発明における実施の形態について詳細に説明する。
【００１３】
図１は本発明の実施の形態におけるファクシミリ装置の概略構成を示すブロック図である。図１において、１は公衆回線等とＮＣＵ（回線制御装置）２を介して他の装置と接続してデータの送受信を行う通信手段（モデム）、４はプリンタ制御手段３を介して受信画像のデータを記録紙の片面あるいは両面に印刷出力するプリンタ部、６は、スキャナ制御手段５によって制御して、送信する原稿から光学的にデータを読み取るスキャナ部、７は、受信画像のデータ等を蓄積するメモリ、スキャナ部６で読み取ったラインデータを逐次格納するラインバッファ、原稿蓄積やメモリ受信により得た画像のデータを圧縮して格納するメモリ、及び画像データを印刷する際にデータを展開するページメモリ等に用いる記憶手段である。
【００１４】
また、８はスキャナ部６で読み取った画像データをスキャナ制御手段５から記憶手段７のラインバッファに転送、記憶手段７のページメモリに展開したデータを後述する制御手段のＣＰＵに転送等のＤＭＡ制御を行うと共に、データの符号化（変調、圧縮）あるいは復号化（復調、伸長））処理を行うデータ処理手段、９は、ユーザがファクシミリ装置を操作するために必要な各種キースイッチ、及び装置状態をユーザに報知するためのＬＣＤ，ＬＥＤ等を備えた操作手段、１０はファクシミリ装置を構成する各手段を制御する制御手段であり、演算処理ＬＳＩからなるＣＰＵ、このＣＰＵを動かすための各種プログラムを格納したＲＯＭ、ファクシミリ装置を制御するために必要な装置情報等の設定データを格納する揮発性メモリ部と不揮発性メモリ部のＲＡＭ等のから構成される。
【００１５】
図２は本実施の形態における実施例１のファクシミリ装置の動作を説明するフローチャートである。本実施例１について図１を参照しながら図２に基づき説明する。
【００１６】
ファクシミリ装置は、受信した受信画像のデータを記憶手段７のページメモリに展開して、プリンタ部４より印刷出力する処理を行う。このとき例えば、操作手段９からユーザによって設定した１枚の受信画像を複数頁に印刷出力する部数指定の出力指示が有効の場合、予め設定してある部数分を印刷出力する。
【００１７】
受信画像のデータ幅として、Ａ３幅（２９７ｍｍ）、Ｂ４幅（２５６ｍｍ）、Ａ４幅（２１０ｍｍ）の３種類がある場合、ファクシミリ装置は受信画像のデータ幅とデータ長の２つの情報をもとに、複数種類ある記録紙のうち、最適な幅サイズの記録紙を選択する。例えば、受信画像のデータ幅がＡ３幅ならば、選択する幅サイズはＡ３縦あるいはＡ４横、受信画像のデータ幅がＢ４幅ならば、選択するは幅サイズはＢ４縦あるいはＢ５横、受信画像のデータ幅がＡ４幅ならば、選択する幅サイズはＡ４縦あるいはＡ５横というように記録紙を選択することになる。
【００１８】
記録紙を通常の用途で使用する場合は、受信画像のデータをオリジナルのまま等倍のサイズで出力することが理想的であり、受信画像のデータ幅によって、まちまちの記録紙の幅サイズに印刷出力することになる。しかしながら、１部を保存用とするために、部数指定の印刷出力を利用する場合、まちまちの記録紙の幅サイズに出力することは、印刷出力した記録紙をファイルリングすることを考えると、むしろ不便であり、ある程度画像の品質が劣化しても、一定の記録紙の幅サイズに出力した方が、便利といえる。なお、前述の幅サイズは予めユーザにより設定される。
【００１９】
そこで、部数指定の印刷出力により、印刷出力する部数うちの１部は保存用とみなし、例えば、受信画像のデータ幅が、Ａ３幅あるいはＢ４幅の場合、Ａ４幅に縮小し、保存用の幅サイズの記録紙（Ａ４縦あるいはＡ５横）に印刷する。受信画像のデータ幅がＡ４幅の場合は、保存用のサイズの記録紙に等倍で印刷する処理を行う。
【００２０】
図２のフローチャートに示すように、まず、受信画像の印刷出力において、ファクシミリ装置に有するプリンタ部４により印刷出力が可能か否かを確認する（Ｓ１）。処理Ｓ１にてプリンタ部４が動作不可のとき（Ｓ１のＮｏ）、印刷出力ができない旨をユーザに報知して処理を終了、また、プリンタ部４が動作可能なとき（Ｓ１のＹｅｓ）、ユーザから操作手段９を介した部数指定の印刷出力における保存用の印刷出力か否かを確認する（Ｓ２）。処理Ｓ２にて保存用の印刷出力のとき（Ｓ２のＹｅｓ）、受信画像のデータ幅が予め設定したデータ幅か確認する（Ｓ３）。処理Ｓ３にて設定のデータ幅でないとき（Ｓ３のＮｏ）、受信画像を設定のデータ幅とした縮小印刷を行う（Ｓ４）。
【００２１】
受信画像の次頁の有無を確認する（Ｓ５）。処理Ｓ５にて受信画像に次頁があるとき（Ｓ５のＹｅｓ）、処理Ｓ２へ移り残り頁の印刷出力の処理を行い、次頁がないとき（Ｓ５のＮｏ）、部数指定の印刷出力が部数分の処理終了したことを確認し（Ｓ６）、処理終了でないとき（Ｓ６のＮｏ）、処理Ｓ２へ移り残りの部数分の印刷出力を行う。また、処理Ｓ２にて保存用の印刷出力でないとき（Ｓ２のＮｏ）、及び処理Ｓ３にて設定のデータ幅のとき（Ｓ３のＹｅｓ）、受信画像を通常処理により印刷出力する（Ｓ７）。
【００２２】
以上のことから、保存用に印刷出力してファイリングする記録紙の幅サイズを一致させることができる。
【００２３】
図３は本実施の形態における実施例２のファクシミリ装置の動作を説明するフローチャートである。本実施例２について図１を参照しながら図３に基づき説明する。本実施例２は前述の実施例１と同様に、ファクシミリ装置は、受信した受信画像のデータを記憶手段７のページメモリに展開して、プリンタ部４より印刷出力する処理を行う。そして、１頁の受信画像を複数頁の部数に印刷出力する部数指定の出力指示が有効の場合、予め設定してある部数分を印刷出力する。
【００２４】
通常の受信画像を印刷出力する場合、受信した画像データの１頁につき記録紙を１枚消費する。受信画像のデータ長が記録紙長よりも長い場合は、分割して出力するので、画像データの１頁につき記録紙２枚以上を消費することになる。
【００２５】
記録紙を通常の用途で使用する場合は、受信画像のデータをオリジナルのまま等倍に出力することが理想的であり、受信画像のデータを１頁につき記録紙１枚以上を消費することになる。
【００２６】
しかしながら、１部を保存用とするために、部数指定の印刷出力を利用する場合、画像データの１頁につき記録紙１枚以上を消費することは、印刷出力した記録紙をファイルリングすることを考えると、むしろ無駄であり、ある程度画像の品質が劣化しても消費する記録紙の枚数を抑える方が、経済的といえる。
【００２７】
そこで、部数指定の印刷出力により、印刷出力する部数のうちの１部は保存用とみなし、複数頁の画像データを縮小し、１枚の記録紙に集約して印刷する処理を行う。
【００２８】
例えば、集約の形態としては、画像データの２頁分を記録紙１枚に２分割して印刷出力する「２ｉｎ１」、画像データの２頁分を記録紙１枚に４分割して印刷出力する「４ｉｎ１」などが考えられる。
【００２９】
図３のフローチャートに示すように、まず、受信画像の印刷出力において、ファクシミリ装置に有するプリンタ部４により印刷出力が可能か否かを確認する（Ｓ１１）。処理Ｓ１１にてプリンタ部４が動作不可のとき（Ｓ１１のＮｏ）、印刷出力ができない旨をユーザに報知して処理を終了し、また、プリンタ部４が動作可能なとき（Ｓ１１のＹｅｓ）、部数指定の印刷出力における保存用の印刷出力か否かを確認する（Ｓ１２）。処理Ｓ１２にて保存用の印刷出力のとき（Ｓ１２のＹｅｓ）、受信画像を設定した記録紙サイズ及び分割するサイズに縮小し集約処理して記憶手段７に格納する（Ｓ１３）。前述の記録紙サイズ及び分割するサイズの設定はユーザにより操作手段９を介して予め設定しておく。
【００３０】
受信画像の次頁の有無を確認する（Ｓ１４）。処理Ｓ１４にて受信画像に次頁があるとき（Ｓ１４のＹｅｓ）、処理Ｓ１２へ移り残り頁の印刷出力の処理を行い、次頁がないとき（Ｓ１４のＮｏ）、部数指定の印刷出力が部数分の処理終了したことを確認し（Ｓ１５）、処理終了でないとき（Ｓ１５のＮｏ）、処理Ｓ１２へ移り残りの部数分の印刷出力を行う。処理Ｓ１５にて処理終了のとき（Ｓ１５のＮｏ）、処理Ｓ１３において記憶手段７に格納し集約したデータの印刷出力を行い処理を終了する（Ｓ１６）。また、処理Ｓ１２にて保存用の印刷出力でないとき（Ｓ１２のＮｏ）、受信画像を通常処理により印刷出力する（Ｓ７）。
【００３１】
以上のことから、保存用に印刷出力してファイリングする記録紙を一致させ、かつ集約印刷して記録紙を節約することができる。
【００３２】
図４は本実施の形態における実施例３のファクシミリ装置の動作を説明するフローチャートである。本実施例３について図１を参照しながら図４に基づき説明する。本実施例３は前述の実施例１と同様に、ファクシミリ装置は、受信した受信画像のデータを記憶手段７のページメモリに展開して、プリンタ部４より印刷出力する処理を行う。そして、１頁の受信画像を複数頁の部数に印刷出力する部数指定の出力指示が有効の場合、予め設定してある部数分を印刷出力する。
【００３３】
受信画像の印刷出力の１部を保存用とするために、部数指定の印刷出力を利用するする場合、印刷出力した記録紙をファイルリングすることを考えると、ある程度画像が薄くなっても、判読できればよいことから、トナー，インクの消費を抑えた方が、より経済的といえる。
【００３４】
そこで、部数指定の印刷出力により、印刷出力するうちの１部は保存用とみなし、例えば、装置に有するセーブモード機能等の、つまりトナーの転写量の削減、インク出力ドットの間引き処理にて印刷する。
【００３５】
図４のフローチャートに示すように、まず、受信画像の印刷出力において、ファクシミリ装置に有するプリンタ部４により印刷出力が可能か否かを確認する（Ｓ２１）。処理Ｓ２１にてプリンタ部４が動作不可のとき（Ｓ２１のＮｏ）、印刷出力ができない旨をユーザに報知して処理を終了し、また、プリンタ部４が動作可能なとき（Ｓ２１のＹｅｓ）、部数指定の印刷出力における保存用の印刷出力か否かを確認する（Ｓ２２）。処理Ｓ２２にて保存用の印刷出力のとき（Ｓ２２のＹｅｓ）、受信画像の印刷処理をトナー，インク等の消費量を節約したセーブモードにより印刷出力を行う（Ｓ２３）。
【００３６】
受信画像の次頁の有無を確認する（Ｓ２４）。処理Ｓ２４にて受信画像に次頁があるとき（Ｓ２４のＹｅｓ）、処理Ｓ２２へ移り残り頁の印刷出力の処理を行い、次頁がないとき（Ｓ２４のＮｏ）、部数指定の印刷出力が部数分の処理終了したことを確認し（Ｓ２５）、処理終了でないとき（Ｓ２５のＮｏ）、処理Ｓ２２へ移り残りの部数分の印刷出力を行う。また、処理Ｓ２２にて保存用の印刷出力でないとき（Ｓ２２のＮｏ）、受信画像を通常処理により印刷出力する（Ｓ２６）。
【００３７】
以上のことから、保存用に印刷出力してファイリングする印刷処理において、使用するトナー，インク等の着色部材を節約することができる。
【００３８】
【発明の効果】
以上説明したように、本発明によれば、保存用に印刷出力してファイリングする記録紙の幅サイズを一致させ、かつ集約印刷して記録紙、印刷処理に使用するトナー、インク等の着色部材を節約することができるという効果を奏する。
【図面の簡単な説明】
【図１】本発明の実施の形態におけるファクシミリ装置の概略構成を示すブロック図
【図２】本実施の形態における実施例１のファクシミリ装置の動作を説明するフローチャート
【図３】本実施の形態における実施例２のファクシミリ装置の動作を説明するフローチャート
【図４】本実施の形態における実施例３のファクシミリ装置の動作を説明するフローチャート
【符号の説明】
１  通信手段
２  ＮＣＵ
３  プリンタ制御手段
４  プリンタ部
５  スキャナ制御手段
６  スキャナ部
７  記憶手段
８  データ処理手段
９  操作手段
１０  制御手段
【図１】
2005033507.tif 000003
【図２】
2005033507.tif 000004
【図３】
2005033507.tif 000005
【図４】
2005033507.tif 000006